(57)【要約】【課題】伸縮可能な電子デバイスを提供する。【解決手段】電子デバイス（１００）は、基板（３０）の切れ目（４０）によって形成されるフラップ（３０ｆ）を備える伸縮可能な基板（３０）を含む。フラップ（３０ｆ）は、切れ目（４０）によって、１つのサイドを除いて、基板（３０）の周囲の主要セクション（３０ｍ）から分離される。フラップ（３０ｆ）は、切れ目（４０）の２つの端部（４０ａ，４０ｂ）の間の、基板（３０）の接続セクション（３０ｃ）を介して、主要セクション（３０ｍ）に排他的に接続する。電子的な部品（１０）は、基板（３０）の上に配置される導電性トラック（２１，２２）に接続する電気接点（１１，１２）を備えるフラップ（３０ｆ）の上に配置される。導電性トラック（２１，２２）は、接続セクション（３０ｃ）を介して、フラップ（３０ｆ）の上に配置される部品（１０）とフラップ（３０ｆ）の外側の、電子デバイス（１００）の他の部品（１０ｒ）との間に延びる。部品（１０）を備えるフラップ（３０ｆ）は、周囲のラミネーション層（３１，３２）によって形成されるポケットのなかに配置される。【選択図】図６Ｂ
2021524674.tif 000002
【特許請求の範囲】
【請求項１】
伸縮可能な基板（３０）であって、前記基板（３０）にＵ字形の切れ目（４０）によって形成されたフラップ（３０ｆ）を備え、前記フラップ（３０ｆ）は、１つのサイドを除いて、前記切れ目（４０）によって、前記基板（３０）の周囲の主要セクション（３０ｍ）から分離されており、前記フラップ（３０ｆ）は、前記切れ目（４０）の２つの端部（４０ａ，４０ｂ）の間の、前記基板（３０）の接続セクション（３０ｃ）を介して前記主要セクション（３０ｍ）に排他的に接続している、伸縮可能な基板（３０）と、
前記基板（３０）の上に配置された導電性トラック（２１，２２）と接続した電気接点（１１，１２）を備える前記フラップ（３０ｆ）の上に配置される電子部品（１０）であって、前記導電性トラック（２１，２２）は、前記接続セクション（３０ｃ）を介して、前記フラップ（３０ｆ）の上に配置された前記部品（１０）と前記フラップ（３０ｆ）の外側にある電子デバイス（１００）の他の部品（１０ｒ）との間に延びている、電子的な部品（１０）と、
前記基板（３０）の両サイドにある一対のラミネーション層（３１，３２）であって、前記部品（１０）を備える前記フラップ（３０ｆ）は、前記ラミネーション層（３１，３２）の間に形成されたポケットの中に配置されており、前記ラミネーション層（３１，３２）が前記基板（３０）の前記主要セクション（３０ｍ）に排他的に接着されているため、前記部品（１０）を備える前記フラップ（３０ｆ）は前記基板（３０）の前記接続セクション（３０ｃ）を介して前記ラミネーション層（３１，３２）に排他的に取り付けられている、一対のラミネーション層（３１，３２）と、
を含む電子デバイス（１００）。
【請求項２】
前記部品（１０）は、１つのサイド（１０ｃ）を除くすべてで、前記切れ目（４０）によって囲まれた前記フラップ（３０ｆ）の上に全体的に配置されており、前記接続セクション（３０ｃ）のエッジ（Ｈｆ）からフラップマージン（Ｍｈ）だけ離れている、
請求項１に記載の電子デバイス（１００）。
【請求項３】
前記部品（１０）は、前記フラップ（３０ｆ）の上に全体的に配置された固体材料（３３）によりグロブトップされている、
請求項１又は２に記載の電子デバイス（１００）。
【請求項４】
前記Ｕ字形の切れ目（４０）は、前記部品（１０）の周囲のまわりにその切り目の長さにわたって異なる方向（Ｄｕ）に延びており、前記切れ目（４０）は、その端部（４０ａ，４０ｂ）の間で、前記基板の面内において前記部品（１０）の中心のまわりに角度（α）にわたって延びており、前記角度（α）は、少なくとも２５０度である、
請求項１〜３のいずれかに記載の電子デバイス（１００）。
【請求項５】
前記フラップ（３０ｆ）の幅（Ｗｆｎ）は、前記接続セクション（３０ｃ）で先細になっている、
請求項１〜４のいずれかに記載の電子デバイス（１００）。
【請求項６】
前記切れ目（４０）は、半円又は半楕円の形状を有する、
請求項１〜５のいずれかに記載の電子デバイス（１００）。
【請求項７】
前記基板は、伸縮可能であり、壊れることなく、１つ以上の方向にそのサイズを少なくとも１０パーセント可逆的に拡張する、
請求項１〜６のいずれかに記載の電子デバイス（１００）。
【請求項８】
前記基板（３０）は、前記部品よりも少なくとも１０倍低い弾性率を有する、
請求項１〜７のいずれかに記載の電子デバイス（１００）。
【請求項９】
前記基板（３０）は、２５℃で１ギガパスカルよりも低いヤング率を有する、
請求項１〜８のいずれかに記載の電子デバイス（１００）。
【請求項１０】
複数のフラップ（３０ｆ）各々の上に配置された複数の部品（１０）を含む、
請求項１〜９のいずれかに記載の電子デバイス（１００）。
【請求項１１】
前記部品の長さ（Ｌｃ）は、前記部品の幅（Ｗｃ）よりも大きく、前記部品は、そのより長いサイドのうちの１つ（１０ｃ）が前記フラップ（３０ｆ）の接続エッジ（Ｈｆ）に面するように配置されており、前記導電性トラック（２１，２２）は、そのより長いサイドのうちの１つ又は両方（１０ｃ，１０ｄ）から排他的に前記部品（１０）に接近し到達する、
請求項１〜１０のいずれかに記載の電子デバイス（１００）。
【請求項１２】
前記導電性トラック（２１，２２）は、前記部品（１０）の下であって前記部品と前記基板との間を通って、前記電気接点（１１，１２）に、前記部品（１０）の中心から外側に向かって接近する、
請求項１〜１１のいずれかに記載の電子デバイス（１００）。
【請求項１３】
前記導電性トラック（２１，２２）は、前記部品（１０）の２つの対向するサイド（１０ｃ，１０ｄ）から接近し、１つの導電性トラック（２１）は、前記部品（１０）のまわりをカールして前記接続セクション（３０ｃ）に対向する前記部品のサイド（１０ｄ）から接近し、もう１つの導電性トラック（２２）は、前記接続セクション（３０ｃ）のサイドから直接前記部品（１０）に接近する、
請求項１〜１２のいずれかに記載の電子デバイス（１００）。
【請求項１４】
伸縮可能な基板（３０）にＵ字形の切れ目（４０）を作製して、前記基板（３０）にフラップ（３０ｆ）を設ける工程であって、前記フラップ（３０ｆ）は、１つのサイドを除いて、前記切れ目（４０）によって、前記基板（３０）の周囲の主要セクション（３０ｍ）から分離されており、前記切れ目（４０）の２つの端部（４０ａ，４０ｂ）の間の、前記基板（３０）の接続セクション（３０ｃ）を介して前記主要セクション（３０ｍ）に排他的に接続している、工程と、
前記基板（３０）の上に配置された導電性トラック（２１，２２）に接続する電気接点（１１，１２）を備える前記フラップ（３０ｆ）の上に電子的な部品（１０）を設ける工程であって、前記導電性トラック（２１，２２）は、前記接続セクション（３０ｃ）を介して、前記フラップ（３０ｆ）の上に配置された前記部品（１０）と前記フラップ（３０ｆ）の外側にある電子デバイス（１００）の他の部品（１０ｒ）との間に延びている、工程と、
前記基板（３０）の両方のサイドに一対のラミネーション層（３１，３２）を設ける工程であって、前記部品（１０）を備えるフラップ（３０ｆ）は前記ラミネーション層（３１，３２）の間に形成されたポケットの中に配置されており、前記ラミネーション層（３１，３２）は前記基板（３０）の主要セクション（３０ｍ）に排他的に接着されているため、前記部品（１０）を備える前記フラップ（３０ｆ）は前記基板（３０）の前記接続セクション（３０ｃ）を介して前記ラミネーション層（３１，３２）に排他的に取り付けられる、工程と、
を含む電子デバイス（１００）の製造方法。
【請求項１５】
中間接着剤層（３５，３６）が、前記基板（３０）の前記主要セクション（３０ｍ）と前記ラミネーション層（３１，３２）との間に排他的に設けられる、
請求項１４に記載の電子デバイス（１００）の製造方法。
【発明の詳細な説明】
【技術分野】
【０００１】
本開示は、伸縮可能な電子機器、特に比較的剛性のある又は伸縮性のない部品を備える伸縮可能な基板を含む電子デバイスに関する。また、本開示は、そのような電子機器の製造方法に関する。
【背景技術】
【０００２】
伸縮可能な電子機器は、表面実装デバイス（ＳＭＤ）などの電気的な部品の配置と組み合わせて、伸縮可能な基板の上に伸縮可能な導電性インクを直接印刷することによって作製することができる。例えば、これらの電気的な部品は、通常のピックアンドプレースマシンを使用してプリント回路に配置することができる。通常、これらの部品は、比較的硬くおよび／または脆い。これらの硬い部品が基板に取り付けられた状態で、基板が引き伸ばされたり曲げられたりすると、デバイスは、（電気的相互接続の領域において）これらの部品のすぐ隣で非常に大きい追加的な応力／ひずみを受ける可能性がある。これらの応力/ひずみのレベルは、基板及びプリント回路内の応力/ひずみのレベルと比べて非常に高い。したがって、この部品相互接続は、他の場所のプリント回路よりもはるかに高く、故障リスクを高める可能性がある。
【０００３】
この問題は、例えば、グロブトップ、アンダーフィルを適用し、そして、異なるインク、ＩＣＡ技術およびボンディング技術を試すことで軽減される可能性がある。これにより、ボンディングが改善されたり、最大応力の位置がずれたりすることがある。しかし、グロブトップを使った相互接続の保護、追加的なアンダーフィル、またはその他の手段は、しばしば、応力集中をずらすだけである。利用可能な最小の部品の使用は、伸縮及び曲げにおける電子デバイスの信頼性を改善することもある。しかし、集積回路やチップなどのより大きな部品は、電気的なデバイスのなかのより高度な機能を可能にする。ＰＥＮ／ＰＥＴ基板の場合、電子回路を蛇行して設計できるため、相互接続のストレスが少なくなる。しかし、これは特にＴＰＵのような高度に伸縮可能な基板では不十分なことがある。
【０００４】
背景として、ＤＥ３９０５６５７Ａ１には、柔軟性のある支持フィルムが説明される。ここで、部品を保持するためのフィルム領域は、それぞれの場合に、フィルムに組み込まれた開口に突き出る舌状のものからなる。さらなる背景として、ＵＳ２００８／０１９１２０Ａ１には、中空領域間を連絡する開口部を有するセクションによって相互に接続された少なくとも２つの中空領域を有する、柔軟性のある光透過材料かるなる密閉されたハウジングと、ハウジングの表面を介して光を放出するための各中空領域内の少なくとも１つの光源とを含む、衣服を着るための照明システムが説明される。
【発明の概要】
【発明が解決しようとする課題】
【０００５】
伸縮性かつ/または柔軟性のある基板上の電子的な部品及び相互接続の保護を改善する必要性が残されている。
【課題を解決するための手段】
【０００６】
これらまたは他の必要性は、電子デバイス及びそのようなデバイスの製造方法に関連する本開示の態様によって提供されることがある。１つの態様は、伸縮可能な基板を含む電子デバイスを提供する。その基板は、少なくとも１つのフラップを含む。そのフラップは、基板の適当な切れ目によって形成されることがある。したがって、そのフラップは、切れ目によって、１つのサイドを除いて、基板の周囲の主要セクションから分離されることがある。そのため、フラップは、例えば一種の半島状のものを形成するＵ字形又は類似の形状の切れ目の２つの端部の間の、基板の接続セクションを介して主要セクションに排他的に接続したままとなる。電子的な部品は、基板の上に配置された導電性トラックに接続する電気接点を備えるフラップの上に配置することができる。したがって、導電性トラックは、フラップの上に配置される部品と、接続セクションを介してフラップの外側の電子デバイスの他の部品と、の間に延びていることがある。基板は、局所的に分離して、部品を備えるフラップの周りにポケットを形成する周囲層によってラミネートされることがある。他のさらなる態様は、伸縮可能な基板に切れ目を作製してフラップを設け、基板の上に配置される導電性トラックに接続する電気接点を備えるフラップの上の電子的な部品を設ける工程を含む方法を提供する。ここで、導電性トラックは、フラップの上に配置された部品と、接続セクションを介してフラップの外側の電子デバイスの他の部品と、の間に延びている。
【発明の効果】
【０００７】
（１つのサイドを除いて）基板の周囲の（主要な）セクションの残りの部分からほとんど分離するフラップ又は半島状のものの上に、比較的剛性のある部品を設けることにより、基板は、部品への最小限のひずみで様々な方向に伸ばされたり曲げられたりすることができると理解されよう。これにより、剛性のある部品が比較的隔離されるので、基板の全体的な伸縮性又は柔軟性を改善することができる。例えば、基板が引き伸ばされたとき、これによって、剛性のある部品を収容する基板の部品の非伸縮性を補償するための、基板の中間部分を必要とすることなく、切れ目の幅を広げることができる。周囲のラミネーション層のポケット内に、これらの層に接着しない状態で、部品を備えるフラップを設けることにより、部品は、周囲の基板又はラミネーション層を引き伸ばすことによる影響を最小限にしながら、ラミネーション層によって保護することができる。
【図面の簡単な説明】
【０００８】
本開示の装置、システム及び方法の、これら及び他の特徴、態様及び利点は、以下の説明、添付の特許請求の範囲及び添付の図面からよりよく理解されるようになるであろう。
【０００９】
【図１】図１は、いくつかの実施形態による態様を示す電子デバイス１００の平面図を概略的に示す。
【図２】図２は、より好ましい切れ目形状を除いて、図１と同様の態様を示す別の平面図を概略的に示す。
【図３】図３は、より好ましい相互接続を有することを除いて、図２と同様の態様を示す別の平面図を概略的に示す。
【図４Ａ】図４Ａは、図３の平面図と同様の実施形態の斜視図を概略的に示す。
【図４Ｂ】図４Ｂは、導電性トラック（２１、２２）によって相互接続された部品（１０）を備えたそれぞれのフラップ（３０ｆ）を形成する複数の切れ目（４０）を有する伸縮可能な基板（３０）の平面図を概略的に示す。
【図５Ａ】図５Ａは、垂直方向および水平方向に加えられた伸縮可能な基板のフォンミーゼス応力を示す。
【図５Ｂ】図５Ｂは、垂直方向および水平方向に加えられた伸縮可能な基板のフォンミーゼス応力を示す。
【図６Ａ】図６Ａは、２つのサイドからの断面サイド図を概略的に示し、図１〜図３に示されるような態様と組み合わせることができる有利なさらなる態様を示す。
【図６Ｂ】図６Ｂは、２つのサイドからの断面サイド図を概略的に示し、図１〜図３に示されるような態様と組み合わせることができる有利なさらなる態様を示す。
【発明を実施するための形態】
【００１０】
特定の実施形態を説明するために使用される用語は、本発明を限定することを意図するものではない。このなかで使用される場合、単数形「ａ」、「ａｎ」および「ｔｈｅ」は、文脈が明らかに他のことを示さない限り、複数形も含むことを意図している。「および／または」という用語は、関連するリストアイテムの１つ以上のいずれか及びすべての組合せを含む。「含む」という用語は、言及された特徴の存在を特定するが、１つ以上の他の特徴の存在又は追加を排除するものではないことは理解されよう。さらに、他に特定されていなければ、ある方法の特定の工程が他の工程に続くとされる場合、その他の工程のすぐ後に続けてもよいし、その特定の工程を実行する前に１つ以上の中間工程が実行されてもよいと理解されよう。同様に、他に特定されていなければ、構造物又は部品の間の接続が説明される場合、その接続は、直接確立されていてもよいし、中間の構造物又は部品を介して確立されていてもよいと理解されよう。
【００１１】
本発明は、本発明の実施形態が示される添付の図面を参照して、以下に、より詳しく説明される。図面では、システム、部品、レイヤー及び領域の絶対的及び相対的なサイズは、わかりやすさのために誇張されることがある。実施形態は、本発明のできる限り理想化された実施形態および中間構造物の概略図および／または断面図を参照して説明されることがある。説明及び図面において、同じ番号は、全体を通して、同じ要素を指す。相対的な用語及びその派生語は、その時点で説明されているか、又は議論中の図面に示されている方向を指すと解釈されるべきである。これらの相対的な用語は、説明の便宜上のものであり、他に言及されていなければ、システムが特定の方向に構築又は操作されることを必要としない。
【００１２】
図１は、いくつかの実施形態による様々な態様を示す電子デバイス１００の平面図（Ｘ，Ｙ）を概略的に示す。ここで説明されるように、電子デバイス１００は、少なくとも１つのフラップ３０ｆ及びフラップ３０ｆの上に配置された少なくとも１つの電子的な部品１０を備える伸縮可能な基板３０を含む。
【００１３】
原則として、フラップ３０ｆは、基板３０内の任意の適切な形状の切れ目４０によって形成されていてよい。フラップ３０ｆは、１つのサイドを除いて、基板３０の周囲の主要セクション３０ｍから、切れ目４０によって分離されていることが好ましい。フラップ３０ｆは、切れ目４０の２つの端部４０ａ，４０ｂの間の、基板３０の接続セクション３０ｃを介して、主要セクション３０ｍに排他的に接続されていることが最も好ましい。フラップ３０ｆは、１つのサイドで、すなわち、接続セクション３０ｃを介して、基板３０の主要セクション３０ｍに排他的に接続されていることが好ましい。いくつかの実施形態では、例えば図示されているように、切れ目４０は、部品１０の少なくとも３つのサイドまたは面１０ａ，１０ｂ，１０ｄに沿って伸びていることが好ましいと説明されてもよい。例えば、（上から見たときに）図示される方向において、接続セクション３０ｃは、部品１０の下サイド１０ｃにのみ配置され、一方、部品１０の左サイド１０ａ、右サイド１０ｂ及び上サイド１０ｄは、全て、切れ目４０の一部を向いている。もちろん、これらは見る方向に依存する相対的な用語である。
【００１４】
ここで説明される切れ目４０は、実質的な「Ｕ字形」を有することが好ましい。この用語は、弧状の（例えば角ばった又は丸みのある）切れ目として理解することができる。この切れ目は、部品１０周囲にその切れ目の長さにわたって異なる方向「Ｄｕ」に延びている。例えば、切れ目の方向「Ｄｕ」は、少なくとも９０°、好ましくは少なくとも１８０°（例えば図１などに示される切れ目）又は２００°（例えば図２，３などに示される切れ目）より大きい角度（基板面内）にわたって変化する。代わりに、又は加えて、切れ目４０は、その端部４０ａ，４０ｂ間で、部品１０の（幾何学的）中心のまわりに特定の角度「α」（基板面内）にわたって延びると説明することができる。例えばここで、角度「α」は、少なくとも１８０°、好ましくは２５０°、２７０°、又は３００°よりも大きい。部品の周囲の切れ目が多いほど、機械的が分離が良好となる。
【００１５】
通常、切れ目の長さ（図示せず）は、切れ目の幅「Ｗｕ」よりもはるかに大きくてよい。例えば、切れ目の（幅に対して横向きの）長さは、少なくとも切れ目の幅の５倍又は１０倍である。切れ目の幅「Ｗｕ」は、原則としてゼロまたはゼロに近くてよい（すなわち、単に分離されていればよい）が、切れ目の幅「Ｗｕ」は少し大きいため、フラップ３０ｆのエッジは、周囲の主要セクション３０ｍから自由であり、相対的な横方向の動きを可能とする。例えば、切れ目の幅「Ｗｕ」は、通常、１又は２ミリメートルよりも大きい。代わりに、又は加えて、切れ目の幅「Ｗｕ」は、最小の部品寸法、この場合、部品１０の幅「Ｗｃ」の少なくとも１０、２０、又は５０パーセントであることが好ましい。また、切れ目の幅「Ｗｕ」は、フラップの幅（例えば切れ目に対して横向きの方向において、すなわち図示されているような切れ目の幅方向に沿って）に関連して選択されてもよく、例えば、（最大の）フラップの幅「Ｗｆ」の少なくとも１０、２０、又は５０パーセントであってよい。必要ということではないが、切れ目の幅は、部品の全サイドと同じであることが好ましい（基板の未伸長状態で）。
【００１６】
最大のフラップマージン「Ｍａ」、又は、周囲を取り巻く切れ目４０と部品１０のエッジおよび／または導電性トラック２１，２２との間の距離は、比較的小さく、例えば、部品１０のサイズ（例えば、長さ「Ｌｃ」又は幅「Ｗｃ」）未満であることが好ましい。また、最小のマージン「Ｍｉ」は、できるだけ小さいとよい。したがって、部品を備えたフラップのフットプリントは、比較的小さいとよい。例えば、最大のフラップマージン「Ｍａ」は、５ミリメートル未満であり、好ましくは２ミリメートル未満、１ミリメートル未満、又は０．５ミリメートル未満であり、あるいはできるだけ小さい。例えば、フラップ総面積は、約１平方センチメートルとしてよく、好ましくは８×８ミリメートル未満、又は２×２ミリメートル未満としてよい。
【００１７】
本教示は、比較的剛性のある部品１０が比較的伸縮性および／または柔軟性がある基板上に配置される状況において、特定の利点を提供しうると理解されるであろう。そのため、基板３０は、少なくとも部品１０と比較して、比較的高い伸縮性を有することが好ましい。例えば、部品は、伸縮性がほとんどないか全くなく、部品を５パーセントあるいは１０パーセント程度伸縮しようとすると機能が失われる。逆に、基板は、１つ以上の方向に沿って高い伸縮性を有し、少なくとも５パーセントの倍率（倍率１．０５）で、好ましくは少なくとも１０パーセントの倍率（倍率１．１）で、さらに好ましくは少なくとも２０パーセントの倍率（倍率１．１）で、あるいはそれ以上、例えば、２００パーセント以上までの倍率で、壊れることなく、その１つ以上の方向にサイズを拡張することができる。基板の伸縮は、完全に又は少なくとも部分的に可逆的であり、すなわち、伸縮力が除去された後に、基板が元の形状に回復することができる弾性的な伸縮であることが好ましい。
【００１８】
可能な定量化において、基板（材料）は、部品のそれよりもはるかに低い、例えば少なくとも１０倍、２０倍、１００倍、又はそれ以上低い弾性率（例えばヤング率）を有することが好ましい。例えば、基板のヤング率は、通常２〜２．７ＧＰａのヤング率であるポリエチレンテレフタレート（ＰＥＴ）のように、５ギガパスカル未満であることが好ましい。他の又は更に可能な基板材料は、例えばポリエチレンナフタレート（ＰＥＮ）を含む。この教示は、熱可塑性ウレタン（ＴＰＵ）などの高い伸縮性を有する材料にも特に利益をもたらしうる。例えば、基板のヤング率は、１ギガパスカル未満（２５℃の室温での測定）であってもよい。基板を比較的柔軟性および／または伸縮性のある材料にする代わりに、又はそうすることに加えて、基板は比較的薄くてもよく、例えば、１ミリメートル以下の厚み、典型的には６００マイクロメートル未満又はそれよりも小さくてもよい。
【００１９】
同様の伸縮性は、伸縮可能な基板の上に配置された導電性トラック２１，２２にも求められることがある。例えば、伸縮可能な導電性トラック２１，２２は、本質的な（導電性）機能を少なくとも１０パーセント、少なくとも２０パーセント、少なくとも３０パーセント、またはさらに４０パーセント以上失う前に、それらの長さに沿って引き伸ばされることがある。例えば、導電性インク（例えば、銀）を使用することができ、基板上に印刷されることが好ましい。加えて、あるいは代わりに、基板の伸縮性および/または柔軟性を改善または維持するために、それらのトラックは、伸縮性および／または柔軟性のあるパターン、例えば、蛇行したパターン（図示せず）で配置されてよい。
【００２０】
この図において、フラップ３０ｆの接続セクション３０ｃのエッジ「Ｈｆ」は、点鎖線で示される。図示されているように、フラップ３０ｆのエッジ「Ｈｆ」は、細長い切れ目４０の２つの端部４０ａ，４０ｂの間に延びる。これは、主要セクション３０ｍに移行する、フラップ３０ｆの最も遠い接続エッジと考えることができる。したがって、エッジ「Ｈｆ」は、それらの間にＵ字形の切れ目ラインを設けることによって、フラップ３０ｆが、主要セクション３０ｍに対してヒンジし又はフラップする最も遠いヒンジラインとして機能しうる。もちろん、フラップ３０ｆも形成される基板材料の全体的な柔軟性のために、フラップは、部品１０とフラップ１０ｆの接続セクション１０ｃのエッジ「Ｈｆ」との間のフラップマージン「Ｍｈ」全体にわたって曲がることができると理解されよう。
【００２１】
好ましい実施形態において、部品１０は、切れ目４０によって、１つのサイド１０ｃを除くすべてで囲まれたフラップ３０ｆの上に全体的に配置される。部品１０は、接続セクション３０ｃのエッジ「Ｈｆ」から、フラップマージン「Ｍｈ」だけ離れていることが最も好ましい。例えば、フラップマージン「Ｍｈ」は、電子的な部品が本質的な機能を失うことなく基板（より具体的には、導電性トラック２１、２２を有する接続セクション３０ｃ）を曲げることができる最小曲げ半径と比較して決定された相対サイズを有しうる。例えば、相対サイズは、少なくとも５パーセント、１０パーセント、２０パーセントであり、あるいは半分よりも大きい。すなわち、フラップマージン「Ｍｈ」は、最小曲げ半径の半分よりも大きいことが好ましい。これは、部品が、損傷を防ぐのに通常十分であるとわかっている機能性を失うことなく、少なくとも１ラジアンの半分または約３０°の角度で平面からフラップする可能性があることを意味する。
【００２２】
別のまたはさらなる手段として、フラップマージン「Ｍｈ」が、好ましくは、部品（基板の面内）の（最小の）寸法または幅「Ｗｃ」と比較して、少なくとも１０パーセント、２０パーセント、５０パーセントの倍率、又は１倍以上の相対サイズを有していてもよい。すなわち、フラップマージン「Ｍｈ」が、最小部品サイズ以上であることが好ましい。相対的なフラップマージンが高いほど、フラップ上の部品が、基板３０の周囲の主要セクション３０ｍを伸縮する影響からよりよく遮られ得ることが理解されよう。
【００２３】
通常、電子的な部品１０は、基板３０の上に配置された導電性トラック２１，２２に接続された電気接点１１，１２を備えたフラップ３０ｆの上に配置される。そのため、導電性トラック２１、２２は、フラップ３０ｆの上に配置された部品１０と、接続セクション３０ｃを介してフラップ３０ｆの外側にある電子デバイス１００の他の部品１０ｒとの間に延びることができる。いくつかの実施形態において、フラップの上の部品１０は、電子デバイス１００の他の部品１０ｒに、例えばフラップ３０ｆの接続セクション３０ｃのエッジ「Ｈｆ」と交差する導電性トラック２１，２２によって部品１０と他の部品１０ｒとの間に形成された電気的接続「Ｅ」を介して、電気的に接続されていてもよい。例えば、他の部品１０ｒは、基板（図示せず）の主要セクション３０ｍおよび／または他のフラップ（例えば、図４Ｂに示される）の上に配置されてもよく、また、例えば、基板（図示せず）への配線で接続されるなどして、基板の上に配置されなくてもよい。例えば、他の部品は、電気光学装置、電源および／または記憶装置などの別のまたは類似の電子的な部品を含んでよい。
【００２４】
図２は、より好ましい切れ目の形状を除いて、図１と類似の態様を示す他の平面図を概略的に示す。
【００２５】
好ましい実施形態では、切れ目４０は、丸みのある形状、例えば（半）円形、楕円形、又は少なくとも角が丸い形状（ここには図示せず）を有する。丸みのある切れ目には、切れ目が部品の周りにさらに拡張される（より大きい切れ目幅「Ｗｕ」）場合に特に、方向に依存しないより高い自由度を有する（半島状のものがいずれの横方向に同じように動くことができる）などの利点がある。
【００２６】
別のまたはさらに好ましい実施形態では、フラップ３０ｆの幅は、接続セクション３０ｃで先細になっている。例えば、接続セクション３０ｃまたはフラップ３０ｆの「ネック」における幅「Ｗｆｎ」は、ネック（「ヘッド」）の上のフラップの最大幅「Ｗｆｍ」よりも１．１倍、１．２倍、１．５倍、２倍、又はそれ以上小さいことが好ましい。接続セクション又はフラップのネックが小さいほど、非伸縮性の部品１０を周囲の主要セクション３０ｍからよりよく隔離し、これにより、伸縮性および／または柔軟性をさらに改善することができる。実施形態では、ほぼ（半）円形の形状のネックで先細になっているフラップが示されているが、他の形状も、フラップと基板の残りの部分との間で、先細のおよび／または比較的狭い接続を有していてよい。例えば、前の図１に示される長方形のフラップを形成する切れ目は、端部４０ａ、４０ｂを先細く延長することによって互いに近づけるように、および／またはフラップ３０ｆの図示されたエッジ「Ｈｆ」に沿って部分的にカットするように、延長されてよい。
【００２７】
いくつかの実施形態では、部品の長さ「Ｌｃ」は、部品の幅「Ｗｃ」よりも１．１倍、１．２倍、１．５倍、２倍、又はそれ以上大きい。これにより、幅「Ｗｃ」を比較的小さく保ちながら、長さ「Ｌｃ」の方向で電気接点１１，１２の間に所望の分離が提供されうる。好ましい実施形態では、部品は、そのより長いサイド１０ｃのうちの１つがフラップ１０の接続エッジ「Ｈｆ」を向くように配置される。言い換えれば、部品１０の長さ方向Ｌｃは接続エッジ「Ｈｆ」に沿っている。これにより、例えば接続エッジ「Ｈｆ」を通る軸にわたってフラップのかなりの部分をフラップし又は丸まるための柔軟性がよりよくなりうる（横方向と比較して）。別のまたはさらに好ましい実施形態では、導電性トラック２１、２２は、そのより長いサイド１０ｃ、１０ｄの一方または両方から（排他的に）部品１０に接近（および到達）する（そのため、好ましくはそのより短いサイド１０ａ、１０ｂからではない）。これにより、基板および／またはフラップの曲げ性が改善することがある。別のまたはさらに好ましい実施形態では、導電性トラック２１、２２は、（コンポーネントと基板の間の）部品１０の下を通って、部品１０の中心Ｃから外側に向かって電気接点１１、１２に接近する。これにより、例えば基板の部品の剥離に対する堅牢性が改善することがある。また、例えば部品の横のサイドには原則としてグルーが必要ないため、表面の剛性が低くてよい。また、導電性トラック２１、２２は、フラップのエッジ「Ｈｆ」（これがより狭い場合）を横切って比較的接近していてもよい。
【００２８】
図３は、さらに好ましい相互接続を有することを除いて、図２と類似の態様を示す平面図を概略的に示す。
【００２９】
好ましい実施形態では、例えば図示されるように、導電性トラック２１，２２は、部品１０の２つの対向するサイド１０ｃ、１０ｄから近づく。例えば、中心線（図示せず）は、その電気接点１１、１２の間、例えば好ましくはそのより短いサイド１０ａ，１０ｂに対して横行するそのより長いサイド１０ｃ，１０ｄで、部品１０と交差すると想像することができる。例えば、１つの導電性トラック２２は、前記中心線に沿って部品に接近し、そのより長いサイドの１つである１０ｃから排他的に部品１０に到達する。そして、もう一つの導電性トラック２１もまた、前記中心線に沿って部品に接近し、部品の反対サイド１０ｄから排他的に電子的な部品に到達する。図２および図３を比較すると、これにより、部品の下の中心から外側に近づく電気トラックの間に十分なスペースを提供しながら、部品をより小さくできると理解されよう。
【００３０】
いくつかの実施形態では、１つの導電性トラック２１は、部品１０の周りにカールする軌道を有し、接続セクション３０ｃの反対側の部品のサイド１０ｄから接近する。他のまたはさらなる実施形態では、もう一つの導電性トラック２２は、接続セクション３０ｃのサイドから直接部品１０に接近する。図３に示されるように、部品１０は、例えば導電性トラック２１が部品の周りにカールするサイド１０ａから離れ、フラップ３０ｆの中心から外れて配置されてよい。これは、オプションで、部品周辺のフラップマージンを最小化するために利用することができる。
【００３１】
図４Ａは、図３の平面図と同様の実施形態の斜視図を概略的に示す。例えば、部品１０は「ＰＩＣＯＬＥＤ」であってよい。
【００３２】
図４Ｂは、導電性トラック２１、２２によって相互接続された部品１０を備えたそれぞれのフラップ３０ｆを形成する複数の切れ目４０を有する伸縮可能な基板３０の平面図を概略的に示す。通常、総基板表面は、各フラップの表面よりも、例えばアプリケーションに応じて１０倍、２０倍、５０倍、１００倍又はそれ以上、はるかに大きくなる可能性がある。例えば、基板３０は、ここに記載されるような部品を備えた複数のフラップを、例えばアプリケーションに応じて１０，２０，５０，１００又はそれ以上含んでいてよい。ここに記載の好ましい実施形態には、フラップごとに単一の（統合された）部品が示されるが、原則として、例えばフラップの同じ面又は反対のサイドに、複数の部品が配置されていてもよい。フラップを単一の部品に制限することにより、フラップを可能な限り小さく保つことができる。
【００３３】
図５Ａおよび図５Ｂは、それぞれ、矢印Ｓｙ，Ｓｘによって示される、垂直方向，水平方向に加えられた伸縮可能な基板のフォンミーゼス応力（σ）を示す。基板のフラップ３０ｆは比較的応力がないままであるが、基板の周囲の主要セクション３０ｍでの応力は比較的高いが均一な応力になりうることが理解されよう。また、応力は、フラップ３０ｆの接続セクションでの小さなフラップマージン「Ｍｈ」にわたって急速に減少するため、剛性のある部品は、好ましくは、このマージンを超えてフラップ３０ｆ上に配置されることに留意されたい。例えば、１つの実施形態は、主要セクション３０ｍ上の均一な応力と比較して応力が十分に、例えば２倍、３倍、５倍、１０倍又はそれ以上低減される、フラップ３０ｆ上の位置またはマージンを計算し、上記位置またはマージン「Ｍｈ」を超えてフラップ上に部品を配置することを含んでもよい。
【００３４】
図６Ａおよび図６Ｂは、有益なさらなる態様を示す、２つのサイドからの断面サイド図を概略的に示す。その態様は、図１〜図３または他に示されるような態様を組み合わせたものであってよい。
【００３５】
いくつかの好ましい実施形態では、電子デバイス１００は、１つまたは複数のラミネーション層３１、３２を含む。例えば、上部ラミネーション層３１は、部品１０および／または導電性トラック２１、２２をさらに保護することができる。ラミネーション層３１，３２は伸縮可能であることが好ましく、ここで例えば、１つまたは複数は基板３０と同じまたは類似の材料を含む。類似の材料を使用すると、層間の良好な結合が得られる。また、同じまたは類似の伸縮性および/または柔軟性を有することにより、デバイスのこれらの品質の乱れを最小限にするのに役立つ可能性がある。任意の下部層は、同じ、類似の、又は異なる材料、例えばファブリックからなってもよい。例えば、電子デバイスは、衣料品に取り付けられた、またはそれと統合されたウェアラブルデバイスであってよい。ラミネーション層３１、３２の伸縮性は、基板３０の伸縮性より高くてもよい。これにより、フラップ３０ｆがより自由に移動できる。
【００３６】
最も有利な実施形態では、部品１０を備えたフラップ３０ｆは、１つまたは複数のラミネーション層３１、３２の間に形成されたポケット内に配置される。ラミネーション層３１，３２は、基板３０の主要セクション３０ｍに排他的に接着される。換言すれば、部品１０を備えたフラップ３０ｆは、ラミネーション層３１、３２に接着されていない。これにより、フラップ３０ｆ（および部品１０）がラミネーション層と共に引き伸ばされないという利点を有しうる。例えば、ポケットは、非接着部分、または場合によっては、切れ目４０（の間隔）によって相互接続される、フラップ／部品構造物の上下のスペース４１、４２によって形成されてよい。図では離れて示されているが、ラミネーション層３１、３２の非接着部分は、ポケット内で比較的自由にスライドまたは移動しながら、その間の中間フラップ構造物に接していてよい。
【００３７】
いくつかの実施形態では、部品１０は、「グロブトップ」とも呼ばれる固体材料３３に包まれている。固体材料３３は、部品１０を保護するためにエポキシなどの比較的剛性のあるものとすることができる。部品１０を包む固体材料３３またはグロブトップの範囲は、フラップ３０ｆに制限されることが好ましく、前に示したように、フラップの接続エッジ「Ｈｆ」からフラップマージン「Ｍｈ」離れていることがより好ましい。いくつかの実施形態では、グロブトップされた部品は、全体的に、ラミネーション層３１、３２によって形成された前述のポケット内にあってよい。
【００３８】
いくつかの実施形態では、電気接点１１、１２は、導電性の接着剤、グルー、またはソルダーによって導電性トラック２１、２２に接続される。例えば、等方性導電性接着剤（ＩＣＡ）または他の材料を使用することができる。任意で、「アンダーフィル」材料３４が、電気接点１１、１２の間、および／または部品１０と基板のフラップとの間に追加されてもよい。これにより、接着および／または構造的完全性がさらに改善されうる。例えば、グロブトップと同じまたは類似の材料を使用する。
【００３９】
電子デバイスに関して説明されたような対応する態様は、デバイス１００の製造方法に適用されてもよい。例えば、この方法は、伸縮可能な基板３０にＵ字形の切れ目４０を形成して基板３０にフラップ３０ｆを設けること、及び、基板３０上に配置された導電性トラック２１、２２に接続された電気接点１１、１２を備えたフラップ３０ｆ上に電子部品１０を設けることを含んでいてよく、導電性トラック２１、２２は、フラップ３０ｆ上に配置された部品１０と、接続セクション３０ｃを介してフラップ３０ｆの外側にある電子デバイス１００の他の部品１０ｒとの間に延びている。いくつかの実施形態では、この方法は、ラミネーション層３１、３２の適用を含んでいてよく、ここでフラップ３０ｆは、ラミネーション層３１、３２の間のポケットに配置される。ポケットは、そのラミネーションと共に単一の工程で作製されることが好ましい。
【００４０】
いくつかの実施形態では、中間接着剤層３５、３６は、基板３０の主要セクション３０ｍとラミネーション層３１、３２との間に排他的に設けることができる（そのため、フラップ３０ｆとラミネーション層３１，３２との間ではない）。例えば、接着剤層は、フラップ／部品の位置に穴を備える、基板３０とラミネーション層３１，３２との間にある１つ以上の追加的な層（図示せず）を含んでいてよい。例えば、１００℃未満、例えば約８０℃の比較的低い融点および／またはガラス転移温度を有するＴＰＵの層を用いることができ、ここで、その層は加熱されて、選択的にポケットを形成するものを接着する。ラミネーション層３１，３２は、それら自体、ＴＰＵ、又は、（良好な結合に関して）類似しているが、例えば１００℃を越える比較的高い融点および／またはガラス転移温度を有する材料を含んでいてもよい。例えば、そのラミネーションは、その積層物を、ラミネーション層ではなく中間接着剤層だけを溶かすか（ガラス）遷移する中間温度まで加熱することを含んでいてよい。そのため、いくつかの実施形態による電子デバイス１００は、例えば、上部ラミネーション層、選択的な接着剤／非接着剤層、基板（フラップ、導電性トラック、アンダーフィル、部品、グロブトップ等を備える）、別の選択的な接着剤／非接着剤層、及び下部ラミネーション層（可能であればファブリック）を含む５層以上の層を含むことがある。代わりに、又は加えて、接着剤層は、例えば主要セクション３０ｍ（および／または主要セクション３０ｍの位置におけるラミネーション層３１，３２）に排他的に適用されるグルー層を含んでいてもよい。代わりに、又は加えて、圧力活性化接着剤が用いられてもよく、ここで圧力は主要セクション３０ｍに排他的に加えられる。
【００４１】
明確で簡素な説明のために、特徴は、同一又は別個の実施形態の一部としてここで説明されたが、本発明の範囲は、説明された特徴のすべて又はいくつかの組合せを有する実施形態を含んでいてよいと理解されよう。例えば、実施形態では伸縮性基板上の剛性のある電子部品が示されたが、代わりの方法で、当業者が、類似の機能及び結果を達成するために本開示の利益を得ることが想定されてもよい。議論および示される実施形態の様々な要素は、伸縮可能なデバイスの信頼性を改善するなどの特定の利点を提供する。議論及び図示されたような実施形態の様々な構成要素は、伸縮性のあるデバイスの信頼性を向上するなどの特定の利益を提供する。もちろん、上記の実施形態またはプロセスのいずれか１つを１つまたは複数の他の実施形態またはプロセスと組み合わせて、設計および利点を見つけて一致させることにおいてさらなる改善を提供できると理解されたい。本開示は、伸縮性のある電子機器に特定の利点を提供し、一般に、部品への応力を緩和する必要があるどのようなアプリケーションにも適用可能と理解されよう。
【００４２】
添付の請求項を解釈する際、「含む」という言葉は、所与の請求項に挙げられている要素又は行為以外の要素又は行為の存在を排除するものではないと理解されたい。要素の前にある「ａ」又は「ａｎ」という言葉は、そのような複数の要素の存在排除するものではない。請求項内のいずれの参照記号は、それらの範囲を制限するものではない。いくつかの「手段」は、同じ又は異なるアイテムによって表されてもよいし、実施された構造又は機能によって表されてもよい。開示されたデバイスまたはその一部のいずれかは、特に明記しない限り、一緒に組み合わせるか、またはさらなる部分に分離してもよい。あるクレームが別のクレームを参照している場合、これは、それぞれの機能の組み合わせによって達成される相乗的な利点を示していることがある。しかし、特定の手段が相互に異なる請求項に記載されているという単なる事実は、これらの手段の組合せが有利に使用できないことを示すものではない。したがって、本実施形態は、請求項のすべての有効な組合せを含んでいてよい。ここで、各請求項は、文脈によって明確に除外されない限り、原則として、いずれかの先行する請求項を参照することができる。
【００４３】
［付記］
［付記１］
伸縮可能な基板（３０）であって、前記基板（３０）にＵ字形の切れ目（４０）によって形成されたフラップ（３０ｆ）を備え、前記フラップ（３０ｆ）は、１つのサイドを除いて、前記切れ目（４０）によって、前記基板（３０）の周囲の主要セクション（３０ｍ）から分離されており、前記フラップ（３０ｆ）は、前記切れ目（４０）の２つの端部（４０ａ，４０ｂ）の間の、前記基板（３０）の接続セクション（３０ｃ）を介して前記主要セクション（３０ｍ）に排他的に接続している、伸縮可能な基板（３０）と、
前記基板（３０）の上に配置された導電性トラック（２１，２２）と接続した電気接点（１１，１２）を備える前記フラップ（３０ｆ）の上に配置される電子部品（１０）であって、前記導電性トラック（２１，２２）は、前記接続セクション（３０ｃ）を介して、前記フラップ（３０ｆ）の上に配置された前記部品（１０）と前記フラップ（３０ｆ）の外側にある電子デバイス（１００）の他の部品（１０ｒ）との間に延びている、電子的な部品（１０）と、
前記基板（３０）の両サイドにある一対のラミネーション層（３１，３２）であって、前記部品（１０）を備える前記フラップ（３０ｆ）は、前記ラミネーション層（３１，３２）の間に形成されたポケットの中に配置されており、前記ラミネーション層（３１，３２）が前記基板（３０）の前記主要セクション（３０ｍ）に排他的に接着されているため、前記部品（１０）を備える前記フラップ（３０ｆ）は前記基板（３０）の前記接続セクション（３０ｃ）を介して前記ラミネーション層（３１，３２）に排他的に取り付けられている、一対のラミネーション層（３１，３２）と、
を含む電子デバイス（１００）。
【００４４】
［付記２］
前記部品（１０）は、１つのサイド（１０ｃ）を除くすべてで、前記切れ目（４０）によって囲まれた前記フラップ（３０ｆ）の上に全体的に配置されており、前記接続セクション３０ｃのエッジ（Ｈｆ）からフラップマージン（Ｍｈ）だけ離れている、
付記１に記載の電子デバイス（１００）。
【００４５】
［付記３］
前記部品（１０）は、前記フラップ（３０ｆ）の上に全体的に配置された固体材料（３３）によりグロブトップされている、
付記１又は２に記載の電子デバイス（１００）。
【００４６】
［付記４］
前記Ｕ字形の切れ目（４０）は、前記部品（１０）の周囲のまわりにその切り目の長さにわたって異なる方向（Ｄｕ）に延びており、前記切れ目（４０）は、その端部（４０ａ，４０ｂ）の間で、前記基板の面内において前記部品（１０）の中心のまわりに角度（α）にわたって延びており、前記角度（α）は、少なくとも２５０度である、
付記１〜３のいずれかに記載の電子デバイス（１００）。
【００４７】
［付記５］
前記フラップ（３０ｆ）の幅（Ｗｆｎ）は、前記接続セクション（３０ｃ）で先細になっている、
付記１〜４のいずれかに記載の電子デバイス（１００）。
【００４８】
［付記６］
前記切れ目（４０）は、半円又は半楕円の形状を有する、
付記１〜５のいずれかに記載の電子デバイス（１００）。
【００４９】
［付記７］
前記基板は、伸縮可能であり、壊れることなく、１つ以上の方向にそのサイズを少なくとも１０パーセント可逆的に拡張する、
付記１〜６のいずれかに記載の電子デバイス（１００）。
【００５０】
［付記８］
前記基板（３０）は、前記部品よりも少なくとも１０倍低い弾性率を有する、
付記１〜７のいずれかに記載の電子デバイス（１００）。
【００５１】
［付記９］
前記基板（３０）は、２５℃で１ギガパスカルよりも低いヤング率を有する、
付記１〜８のいずれかに記載の電子デバイス（１００）。
【００５２】
［付記１０］
複数のフラップ（３０ｆ）各々の上に配置された複数の部品（１０）を含む、
付記１〜９のいずれかに記載の電子デバイス（１００）。
【００５３】
［付記１１］
前記部品の長さ（Ｌｃ）は、前記部品の幅（Ｗｃ）よりも大きく、前記部品は、そのより長いサイドのうちの１つ（１０ｃ）が前記フラップ（３０ｆ）の接続エッジ（Ｈｆ）に面するように配置されており、前記導電性トラック（２１，２２）は、そのより長いサイドのうちの１つ又は両方（１０ｃ，１０ｄ）から排他的に前記部品（１０）に接近し到達する、
付記１〜１０のいずれかに記載の電子デバイス（１００）。
【００５４】
［付記１２］
前記導電性トラック（２１，２２）は、前記部品（１０）の下であって前記部品と前記基板との間を通って、前記電気接点（１１，１２）に、前記部品（１０）の中心から外側に向かって接近する、
付記１〜１１のいずれかに記載の電子デバイス（１００）。
【００５５】
［付記１３］
前記導電性トラック（２１，２２）は、前記部品（１０）の２つの対向するサイド（１０ｃ，１０ｄ）から接近し、１つの導電性トラック（２１）は、前記部品（１０）のまわりをカールして前記接続セクション（３０ｃ）に対向する前記部品のサイド（１０ｄ）から接近し、もう１つの導電性トラック（２２）は、前記接続セクション（３０ｃ）のサイドから直接前記部品（１０）に接近する、
付記１〜１２のいずれかに記載の電子デバイス（１００）。
【００５６】
［付記１４］
伸縮可能な基板（３０）にＵ字形の切れ目（４０）を作製して、前記基板（３０）にフラップ（３０ｆ）を設ける工程であって、前記フラップ（３０ｆ）は、１つのサイドを除いて、前記切れ目（４０）によって、前記基板（３０）の周囲の主要セクション（３０ｍ）から分離されており、前記切れ目（４０）の２つの端部（４０ａ，４０ｂ）の間の、前記基板（３０）の接続セクション（３０ｃ）を介して前記主要セクション（３０ｍ）に排他的に接続している、工程と、
前記基板（３０）の上に配置された導電性トラック（２１，２２）に接続する電気接点（１１，１２）を備える前記フラップ（３０ｆ）の上に電子的な部品（１０）を設ける工程であって、前記導電性トラック（２１，２２）は、前記接続セクション（３０ｃ）を介して、前記フラップ（３０ｆ）の上に配置された前記部品（１０）と前記フラップ（３０ｆ）の外側にある電子デバイス（１００）の他の部品（１０ｒ）との間に延びている、工程と、
前記基板（３０）の両方のサイドに一対のラミネーション層（３１，３２）を設ける工程であって、前記部品（１０）を備えるフラップ（３０ｆ）は前記ラミネーション層（３１，３２）の間に形成されたポケットの中に配置されており、前記ラミネーション層（３１，３２）は前記基板（３０）の主要セクション（３０ｍ）に排他的に接着されているため、前記部品（１０）を備える前記フラップ（３０ｆ）は前記基板（３０）の前記接続セクション（３０ｃ）を介して前記ラミネーション層（３１，３２）に排他的に取り付けられる、工程と、
を含む電子デバイス（１００）の製造方法。
【００５７】
［付記１５］
中間接着剤層（３５，３６）が、前記基板（３０）の前記主要セクション（３０ｍ）と前記ラミネーション層（３１，３２）との間に排他的に設けられる、
付記１４に記載の電子デバイス（１００）の製造方法。
【図１】
2021524674.tif 000003
【図２】
2021524674.tif 000004
【図３】
2021524674.tif 000005
【図４Ａ】
2021524674.tif 000006
【図４Ｂ】
2021524674.tif 000007
【図５Ａ】
2021524674.tif 000008
【図５Ｂ】
2021524674.tif 000009
【図６Ａ】
2021524674.tif 000010
【図６Ｂ】
2021524674.tif 000011
【国際調査報告】
2021524674.tif 000012
2021524674.tif 000013
2021524674.tif 000014
2021524674.tif 000015